(57)【要約】【課題】中央処理装置に入力されるデータの異常を判定し、正常なデータに基いて保護動作を継続する保護リレーを提供する。【解決手段】保護対象となる主回路の電気量を検出するアナログ検出回路１と、アナログ検出回路１から出力される電気量を監視処理するとともに、主回路の保護動作を実行する中央処理装置３と、中央処理装置３から入出力される電気量のデータを記録保存する複数回路の記憶装置４ａ、４ｂと、中央処理装置３から出力される電気量のデータを表示する表示回路６と、中央処理装置３から出力される信号で動作する出力接点７および警報接点８とを具備し、電気量のデータに異常データの有無を判定するチェックコードを付加し、複数回路の記憶装置４ａ、４ｂにそれぞれ保存することを特徴とする。【選択図】図１
2010263706.tif 000002
【特許請求の範囲】
【請求項１】
保護対象となる主回路の電気量を検出するアナログ検出回路と、
前記アナログ検出回路から出力される前記電気量を監視処理するとともに、前記主回路の保護動作を実行する中央処理装置と、
前記中央処理装置から入出力される前記電気量のデータを記録保存する複数回路の記憶装置と、
前記中央処理装置から出力される前記電気量のデータを表示する表示回路と、
前記中央処理装置から出力される信号で動作する出力接点および警報接点とを具備し、
前記電気量のデータに異常データの有無を判定するチェックコードを付加し、前記複数回路の記憶装置にそれぞれ保存することを特徴とするデジタル保護リレー。
【請求項２】
前記複数回路の記憶装置の一つに正常データがあれば、保護動作を継続することを特徴とする請求項１に記載のデジタル保護リレー。
【請求項３】
保護対象となる主回路の電気量を検出するアナログ検出回路と、
前記アナログ検出回路から出力される前記電気量を監視処理するとともに、前記主回路の保護動作を実行する中央処理装置と、
前記中央処理装置から入出力される前記電気量のデータを記録保存する奇数回路の記憶装置と、
前記中央処理装置から出力される前記電気量のデータを表示する表示回路と、
前記中央処理装置から出力される信号で動作する出力接点および警報接点とを具備し、
前記奇数回路の記憶装置に前記電気量のデータを同時に保存し、同値の電気量データを保存した過半数の回路を抽出することを特徴とするデジタル保護リレー。
【請求項４】
過半数の回路で保存された前記同値の電気量のデータにより、保護動作を継続することを特徴とする請求項３に記載のデジタル保護リレー。
【請求項５】
前記奇数回路の記憶装置で、同値で過半数の前記電気量のデータが抽出できない場合、保護動作を停止し、前記出力接点もしくは前記警報接点を動作させることを特徴とする請求項３に記載のデジタル保護リレー。
【発明の詳細な説明】
【技術分野】
【０００１】
本発明は、ノイズなどによって生じる誤動作を防止し得る電力系統を監視するデジタル保護リレーに関する。
【背景技術】
【０００２】
従来、電力系統の電圧、電流などの監視や過電流などの異常から主回路を保護するため、デジタル保護リレーが広く用いられている。デジタル保護リレーには、入力された電圧や電流などの電気量を保存する記憶装置が設けられ、中央処理装置との間でデータの送受信が行われている（例えば、特許文献１参照。）。
【先行技術文献】
【特許文献】
【０００３】
【特許文献１】特開２００８−４３１４５号公報  （第３ページ、図１）
【発明の概要】
【発明が解決しようとする課題】
【０００４】
上記の従来のデジタル保護リレーにおいては、記憶装置が単独回路で設けられているため、メモリＩＣの故障やノイズなどでデータ化けによる異常データが発生した場合、中央処理装置では異常データに基いた誤動作、もしくは警報を出力する。そして異常検出中は、正常な動作を継続することができなかった。このため、内部回路でのデータ処理の異常においては、そのデータをロックし、正常なデータを抽出して保護動作を継続できるものが望まれていた。
【０００５】
本発明は上記問題を解決するためになされたもので、記憶装置内で発生する異常データを判定し、正常なデータに基いて保護動作を継続するデジタル保護リレーを提供することを目的とする。
【課題を解決するための手段】
【０００６】
上記目的を達成するために、本発明のデジタル保護リレーは、保護対象となる主回路の電気量を検出するアナログ検出回路と、前記アナログ検出回路から出力される前記電気量を監視処理するとともに、前記主回路の保護動作を実行する中央処理装置と、前記中央処理装置から入出力される前記電気量のデータを記録保存する複数回路の記憶装置と、前記中央処理装置から出力される前記電気量のデータを表示する表示回路と、前記中央処理装置から出力される信号で動作する出力接点および警報接点とを具備し、前記電気量のデータに異常データの有無を判定するチェックコードを付加し、前記複数回路の記憶装置にそれぞれ保存することを特徴とする。
【発明の効果】
【０００７】
本発明によれば、複数回路の記憶装置にデータを保存し、そのデータを比較処理して異常データの有無を判定しているので、内部回路で異常データが発生しても、正常なデータを保存した記憶装置により保護動作を継続することができる。
【図面の簡単な説明】
【０００８】
【図１】本発明の実施例１に係るデジタル保護リレーの回路構成を示す回路図。
【図２】本発明の実施例２に係るデジタル保護リレーの回路構成を示す回路図。
【発明を実施するための形態】
【０００９】
以下、図面を参照して本発明の実施例について説明する。
【実施例１】
【００１０】
先ず、本発明の実施例１に係るデジタル保護リレーを図１を参照して説明する。図１は、本発明の実施例１に係るデジタル保護リレーの回路構成を示す回路図である。
【００１１】
図１に示すように、デジタル保護リレーには、保護対象となる主回路の電圧、電流などの電気量を検出するアナログ検出回路１が設けられ、アナログ値からデジタル値に変換するＡ／Ｄ変換回路２を介して、電気量を監視処理し主回路の保護動作を実行する中央処理装置３に接続されている。
【００１２】
中央処理装置３には、計測、処理された電気量を記録保存する第１の記憶装置４ａと第２の記憶装置４ｂが接続されている。また、運転中や試験中を切替えるスイッチ回路５、電気量などを表示する表示回路６が接続されている。更に、図示しない遮断器などをトリップさせる出力接点７、異常が発生したとき外部に信号を出力する警報接点８を動作できるようになっている。
【００１３】
次に、動作について説明する。通常、アナログ検出回路１で得られる電気量のデータは、スイッチ回路５の状態によって中央処理装置３で演算が行われ、第１の記憶装置４ａと第２の記憶装置４ｂとに書き込まれる。その際、データの誤りを判定するＣＲＣコードなどのチェックコードがデータに付加される。
【００１４】
中央処理装置３からデータを呼び出すときは、先ず第１の記憶装置４ａからデータを読み込み、チェックコードにより異常の有無を判定する。異常がなければ、そのままトレンド作成などの処理を実行する。異常があれば、第２の記憶装置４ｂからデータを読み込み、同様の処理をする。
【００１５】
どちらの記憶装置４ａ、４ｂを先に読み込むかは、所定回数毎に切り替え、一方に偏らないようにする。一方のデータに異常があった場合には、それを当該記憶装置４ａ、（４ｂ）に保存し、同様の異常が所定の回数継続したときに表示回路６へ当該記憶装置４ａ、（４ｂ）の異常表示、更には警報接点８を動作させ外部に異常を知らせる。
【００１６】
両方の記憶装置４ａ、４ｂのデータに異常があった場合には、中央処理装置３の保護処理を無効化し、異常データによる出力接点７の動作などの誤出力を防止する。また、表示回路６へ両方の記憶装置４ａ、４ｂの異常表示、更には警報接点８を動作させ外部に異常を知らせる。なお、両方の記憶装置４ａ、４ｂが同時に異常データを保存することは極めて少なく、正常な保護動作の継続を困難とするものではない。
【００１７】
上記実施例１のデジタル保護リレーによれば、第１の記憶装置４ａと第２の記憶装置４ｂとにチェックコードを付加してデータを保存し、チェックコードにより異常データの有無を判定しているので、内部回路で異常データが発生しても、正常なデータを保存した記憶装置４ａ、（４ｂ）を抽出でき、中央処理装置３で保護動作を実行することができる。
【００１８】
上記実施例１では、記憶装置４ａ、４ｂを二回路で説明したが、二回路以上の複数回路とし、このうち少なくとも一回路以上がチェックコードにより正常データと判定されれば、中央処理装置３で保護動作を実行することができる。
【実施例２】
【００１９】
次に、本発明の実施例２に係るデジタル保護リレーを図２を参照して説明する。図２は、本発明の実施例２に係るデジタル保護リレーの回路構成を示す回路図である。なお、この実施例２が実施例１と異なる点は、記憶装置の回路数である。図２において、実施例１と同様の構成部分においては、同一符号を付し、その詳細な説明を省略する。
【００２０】
図２に示すように、中央処理装置３には、計測、処理された電気量を記録保存する第１の記憶装置４ａ、第２の記憶装置４ｂおよび第３の記憶装置４ｃが接続されている。他の構成は実施例１と同様である。
【００２１】
次に、動作について説明する。通常、アナログ検出回路１で得られる電気量のデータは、中央処理装置３で演算が行われ、第１の記憶装置４ａ、第２の記憶装置４ｂ、第３の記憶装置４ｃの全てに書き込まれる。中央処理装置３からデータを呼び出すときは、全ての記憶装置４ａ、４ｂ、４ｃから読み込み、二回路以上のデータが一致していれば、そのデータを用いて処理を実行する。これと異なるデータを有する記憶装置４ａ、（４ｂ、４ｃ）ではその異常を保存し、同様の異常が所定の回数継続したときには表示回路６へ当該記憶装置４ａ、（４ｂ、４ｃ）の異常表示、更には警報接点８を動作させ外部に異常を知らせる。
【００２２】
全ての記憶装置４ａ、４ｂ、４ｃでデータが不一致であった場合には、中央処理装置３の保護処理を無効化する。また、表示回路６への異常表示、更には警報接点８を動作させる。なお、全ての記憶装置４ａ、４ｂ、４ｃが同時に異常データを保存、または二回路以上が同値の異常データを同時に保存することは極めて少なく、正常な保護動作の継続を困難とするものではない。
【００２３】
上記実施例２のデジタル保護リレーによれば、三回路の記憶装置４ａ、４ｂ、４ｃでデータを同時に保存し、異常データの有無をデータの多数を占める回路で判定しているので、いずれかの回路で異常データが発生しても、正常なデータを保存した回路を抽出することができ、中央処理装置３で保護動作を実行することができる。
【００２４】
上記実施例２では、三回路の記憶装置４ａ、４ｂ、４ｃで説明したが、三回路以上の奇数回路とし、過半数の回路で同値のデータが抽出できれば、このデータは正常データと判定し、中央処理装置３で保護動作を実行することができる。
【００２５】
ここで、同値のデータとは、記憶容量などの回路設計の差異から生じる誤差などを含むものであり、メモリＩＣの故障やデータ化けにより明らかに異なったデータを除いたものを同値のデータと定義する。
【符号の説明】
【００２６】
１  アナログ検出回路
２  Ａ／Ｄ変換回路
３  中央処理装置
４ａ、４ｂ、４ｃ  記憶装置
５  スイッチ回路
６  表示回路
７  出力接点
８  警報接点
【図１】
2010263706.tif 000003
【図２】
2010263706.tif 000004